(57)【要約】【課題】  従来は何も利用されていないいわゆるデッドスペースであった筐体底部と設置面との間の空間を有効利用した電子機器を提供すること。【解決手段】  筐体と、筐体の底部に設けられた台座１４とを備え、台座１４はその内部に、筐体底部によって、筐体の内部空間と仕切られた空洞部を有する。筐体の底部は金属材料からなり、筐体の内部空間には、放送信号を受信可能なチューナーが配設され、台座１４の空洞部に、チューナーの入力端子に接続されるケーブル２４７が収容されている。また、台座１４の側面に吸気用開口１５が形成され、その吸気用開口１５は台座１４の空洞部及び筐体底部にあけられた開口を介して筐体の内部空間と連通される。【選択図】        図５
2005309738.tif 000002
【特許請求の範囲】
【請求項１】
筐体と、前記筐体の底部に設けられた台座とを備えた電子機器であって、
前記台座はその内部に、前記底部によって、前記筐体の内部空間と仕切られた空洞部を有し、
前記底部は、前記筐体の内部空間と、前記台座の空洞部とを連通させる開口を有する
ことを特徴とする電子機器。
【請求項２】
前記筐体の前記底部は金属材料からなり、
前記筐体の前記内部空間に、放送信号を受信可能なチューナーが配設され、
前記台座の前記空洞部に、前記開口を介して前記チューナーの入力端子に接続されるケーブルが収容されている
ことを特徴とする請求項１に記載の電子機器。
【請求項３】
前記チューナーの前記入力端子は、前記開口から前記空洞部に突出され、
前記入力端子に、前記空洞部に収容された前記ケーブルが接続している
ことを特徴とする請求項２に記載の電子機器。
【請求項４】
前記空洞部に分配器が配設され、
前記分配器の入力端子は前記台座の側部から露出され、
前記分配器の出力端子は前記空洞部内に配置され、前記ケーブルと接続されている
ことを特徴とする請求項２に記載の電子機器。
【請求項５】
前記台座の側面に、前記空洞部及び前記開口を介して前記筐体の内部空間と連通される吸気用開口が形成されている
ことを特徴とする請求項１に記載の電子機器。
【発明の詳細な説明】
【技術分野】
【０００１】
本発明は、筐体とその筐体を支える台座とを備える電子機器に関し、詳しくは、台座の内部空間の有効利用を図った電子機器に関する。
【背景技術】
【０００２】
従来より、例えばタワー型コンピュータなどの電子機器において、滑り止めを図る、あるいは筐体底部からの熱を設置面が直に受けて設置面上が熱くならないようにするなどの目的で、筐体底部が設置面上に直に接触しないように、底部に台座を設けたり（特許文献１参照）、あるいは特許文献２に示されるように突起状の脚部を設けたものがある。
【特許文献１】特開２００２−１０８５０１号公報
【特許文献２】特開平９−２６５３３５
【発明の開示】
【発明が解決しようとする課題】
【０００３】
しかし、従来は筐体底部に設けられる台座や脚部は単に筐体を支持することにしか用いられていない。上記台座や脚部が筐体底部と設置面との間に介在されれば筐体底部が設置面上から浮かされ、筐体底部と設置面との間に空間が形成される。その空間は、従来は何も利用されていないいわゆるデッドスペースであった。本発明者らはその筐体底部と設置面との間の空間に着目し、本発明ではその空間の有効利用を図ることを目的とする。
【課題を解決するための手段】
【０００４】
本発明の電子機器は、筐体と、この筐体の底部に設けられた台座とを備え、台座はその内部に、筐体の底部によって、筐体の内部空間と仕切られた空洞部を有することを特徴としている。
【０００５】
上記台座は、筐体を支持する機能はもちろん、その内部に空洞部を有するので、その空洞部を部品収容部として機能させることができる。空洞部に収容された部品は、筐体の底部にあけられた開口を介して筐体の内部空間に配設された内蔵機器に接続できる。
【０００６】
特に、筐体の内部空間に放送信号を受信可能なチューナーが配設された電子機器においては、筐体の底部を金属材料から構成することで、その底部が電磁ノイズの遮蔽板として作用し、上記台座の空洞部に、筐体の内部空間に配設された内蔵機器から放射されるノイズが及びにくくできる。したがって、その空洞部に、上記チューナーの入力端子に接続されるケーブルを収容すれば、そのケーブルを伝送されノイズの影響を受けやすい放送信号を、筐体の内部空間に配設された内蔵機器のノイズから保護し、良好な信号品質を保てる。
【０００７】
また、上記チューナーの入力端子を、筐体の底部にあけられた開口から上記台座の空洞部に突出させて、その空洞部に突出された入力端子に、同じく空洞部に収容されたケーブルを接続させれば、ケーブルを筐体の内部空間に入れることなくチューナーの入力端子に接続できる。ケーブルが筐体の内部空間に入らないので、その分筐体の内部空間に配設された各種内蔵部品や内蔵機器からのノイズの影響を抑制できる。さらに、チューナーの入力端子を筐体の内部空間に配置した場合に比べ、ケーブルの引き回し長さを短くでき、このこともケーブルがノイズの影響を受けにくくすることに寄与する。
【０００８】
また、アンテナ端子に接続されたアンテナケーブルを複数に分けたい場合には分配器が必要となるが、その分配器を台座の空洞部に配設すれば、その分配器に接続されるケーブルも空洞部に収容されて筐体の内部空間に配設される機器や部品からのノイズの影響を抑制でき、さらに筐体の内部空間に配設される機器や部品、ケーブルを減らすことができる。その分、筐体の内部空間への各種部品や機器の高密度配置が可能になる。あるいは、それら部品や機器の配置レイアウトの自由度を高めることができる。さらには、分配器やこれに接続されるケーブルが筐体の内部空間にない分、筐体の小型化を図れる。
【０００９】
また、台座の側面に上記空洞部を介して筐体底部の開口と連通される吸気用開口を形成すれば、筐体の外部の空気を、台座側面の吸気用開口、台座の空洞部、筐体底部の開口を介して、筐体の内部空間に吸い込むことができ、その内部空間に配設された部品や機器を空冷することができる。このような構成とすることで、筐体底部の開口が設置面によって塞がれることなく電子機器の底部からも吸気を行え空冷効率を高めることができる。このことによっても、台座の内部空間を有効に利用している。
【発明の効果】
【００１０】
本発明の電子機器によれば、筐体の底部と設置面との間に介在される台座の内部に空洞部を設け、その空洞部と筐体の内部空間とを連通させる開口を筐体底部に形成したので、上記空洞部に、筐体の内部空間に配設された内蔵機器に接続される部品やケーブルを収容できる。これによって、台座の内部の空間を有効利用でき、さらに上記台座の空洞部に部品を収容する分、筐体の内部に収容される部品を減らせ、筐体内部の空間の有効利用も図れる。あるいは台座の側面及び筐体底部に吸気用開口を形成すれば、その空洞部を空冷用空気の通り道として利用することができる。
【発明を実施するための最良の形態】
【００１１】
図１は本発明の実施形態に係る電子機器１の外観斜視図を示す。図４は図１の反対側から見た斜視図を示す。図２、図３はそれぞれ、電子機器１の正面図、上面図である。本実施形態では、電子機器１は、いわゆるタワー型パーソナルコンピュータの本体である。
【００１２】
電子機器１は、筐体２及び３が組み合わされなる直方体形状の外部筐体を有し、その外部筐体は台座８によって設置面上に支持される。
【００１３】
筐体２は、前板部２ａと、前板部２ａの縁部を囲むように設けられた上板部２ｂ、側板部２ｃ、２ｄとからなる箱型形状を呈している。前板部２ａには四角形状の開口２ｅが形成されている。開口２ｅは、前板部２ａの上半分ほどの領域であって側板部２ｄ寄りの箇所に形成されている。また、前板部２ａには、開口２ｅを開閉するためのシャッター６が設けられている。
【００１４】
開口２ｅの上縁部の近傍であって、上板部２ｂと前板部２ａとの角部には、各種押しボタン１１、１２、１３が配設されている。押しボタン１１と１２との間にはスペーサ１６が、押しボタン１２と１３との間にはスペーサ１７が設けられている。これらスペーサ１６、１７は押されても筐体内部に押し込まれず、押しボタンとしては機能しない。スペーサ１７には発光窓部１８が設けられている。
【００１５】
筐体２において下半分ほどの部分には板状の外装部材４が取り付けられている。外装部材４は、筐体２の前板部２ａの下半分を覆う前板部４ａと、筐体２の側板部２ｄの下方の領域を覆う側板部４ｄとからなる。前板部２ａの下半分の部分には、筐体内部と連通される多数の吸気用開口５６（その一部が図５に示される）が形成されており、その吸気用開口５６を塞がないように外装部材４の前板部４ａは、筐体２の前板部２ａとの間に間隙を形成して向き合わされている。外装部材４の側板部４ｄも、筐体との間に間隙を形成して向き合わされている。
【００１６】
筐体３は、背板部３ａと、背板部３ａの縁部を囲むように設けられた上板部３ｂ、側板部３ｃ、３ｄとからなる箱型形状を呈している。
【００１７】
図４に示すように、背板部３ａには排気用開口３８、３９、４０が形成されている。また、背板部３ａには、オーディオ端子、ビデオ端子、その他各種コネクタ３７が露出されている。
【００１８】
上述した外部筐体は例えば樹脂材料からなり、その内部には、図６に示す内部筐体１４３が内蔵されている。内部筐体１４３は、例えば金属材料からなり、電子機器１の剛性を高める補強部材及び内蔵機器の取付部材として機能する。
【００１９】
内部筐体１４３は、背板部１７２と、背板部１７２の縁部を囲むように設けられた上板部１４４と、側板部１４５、１４８、１４７と、底板部１４６とからなる箱型形状を呈している。側板部１４５と１４８との間には段差があり、側板部１４５は側板部１４８よりも外方に出っ張っている。これにより、側板部１４５の下方には凹状段部が形成されている。その凹状段部の底部が側板部１４８となる。
【００２０】
上板部１４４には吸気用開口１６７が多数の小孔として形成されている。側板部１４５には吸気用開口１５１が多数の小孔として形成されている。側板部１４７には吸気用開口１６６、１６２が多数の小孔として形成されている。
【００２１】
側板部１４８には排気用開口１５３、１５４が多数の小孔として形成されている。さらに、側板部１４８には、配線接続部である各種コネクタを露出させるための開口４３、４４、１４９が形成されている。
【００２２】
底板部１４６には吸気用開口１５５が多数の小孔として形成されている。また、底板部１４６には、吸気と内部筐体１４３の軽量化を図るための開口１５９、１６０、１６１が形成されている。さらに、底板部１４６には、内部筐体１４３内に配設されたチューナーの入力端子を露出させるための開口１５６、１５７、１５８が形成されている。
【００２３】
背板部１７２には、吸気と内部筐体１４３の軽量化を図るための開口１５２、１６５、１６４、１６３が形成されている。また、背板部１７２において、開口１６５が形成された領域は内部筐体１４３内に収容される内蔵機器であるハードディスク装置の取付領域であり、その領域には、複数のハードディスク装置を収容した枠体が引っ掛けられるようにして着脱自在に取り付けられる４つの掛止部１６８が、背板部１７２の内面側に突出して設けられている。さらに、そのハードディスク装置取付領域の上部には、横長の係合孔１６９が形成されており、その係合孔１６９には、上記枠体が掛止部１６８に掛止された状態でその枠体の移動を規制するためのロック部材が差し込まれる。
【００２４】
内部筐体１４３の内部には、ハードディスク装置の他にも、マザーボード、チューナーボード、電源ユニットなどの各種内蔵機器が配設される。
【００２５】
内部筐体１４３の側板部１４８には、図４に示す配線接続板２７及び扉２５が取り付けられる。配線接続板２７には、内部筐体１４３の側板部１４８に形成された開口４３、４４、１４９を露出させるための開口が形成され、その開口からは、例えばＬＡＮ（Local Area Network）端子や、外部ディスプレイへの出力端子が露出される。扉２５は、配線接続板２７の下端縁部に回動自在かつ着脱自在に取り付けられている。
【００２６】
電子機器１は、主に、筐体２の前板部２ａを正面にして設置されることを想定して設計されている。例えば、背板部３ａをリビングルームの壁に寄せて、そのリビングルームの床の上に置くというように。このような置き方は設置スペースの奥行きがそれほど大きく確保できない場合に有効である。また、この場合には、上記扉２５は閉じられて配線接続板２７を覆い、各種ケーブルは背面（背板部３ａ）側に引き出されるようにする。
【００２７】
具体的には、配線接続板２７に露出された各種コネクタや端子に接続されたケーブルはそのまままっすぐに延ばすと、前板部２ａを正面にして置かれた電子機器１の右方に延出されるが、扉２５を閉めることによってそれらケーブルを背面側に取り出すことができる。
【００２８】
すなわち、扉２５を閉めると、その扉２５によって上記ケーブルの右方への延出が規制されると共に、ケーブルの可撓性を利用してケーブルを曲げることで背面側に延出方向を変えることができる。
【００２９】
配線接続板２７は、筐体２及び３の側板部２ｃ及び３ｃよりも内方にくぼんだ凹状段部の底部に取り付けられ、また図４に示すように背板部３ａにおいて扉２５に向き合う部分は切り欠かれて配線取出口２６０が形成されているので、扉２５の閉状態では、配線接続板２７と扉２５内面との間に、背面側に開口した空所が確保される。上述の曲げられたケーブルはその空所に納められ、配線取出口２６０から電子機器１の背後に向けて延出される。
【００３０】
また、配線取出口２６０からは、ＡＣ電源入力用のコネクタの接続口３５が背面側に向けられている。したがって、その接続口３５にＡＣ電源ケーブルを差し込んだ場合にもそのケーブルは背面側に延出される。
【００３１】
上記電子機器１の設置スペースとして、横幅よりも奥行きの方を大きく確保できる場所、例えば机の上などでは、通常のタワー型コンピュータと同じように、横幅の小さい面を正面にして置くこともできる。例えば、本実施形態の電子機器１では、筐体２の側板部２ｄ及び筐体３の側板部３ｄを正面にして、これと対向する側板部２ｃ及び３ｃを背面にして置く場合における使い勝手や省スペース化も考慮されている。
【００３２】
具体的には、上記置き方における背面となる配線接続板２７を覆う扉２５を取り外す。扉２５が取り外されれば、配線接続板２７に露出された各種コネクタや端子に接続されたケーブルを上記置き方における背面側へとそのまままっすぐ延出させることができる。したがって、それらケーブルは上記置き方における電子機器１の背後に隠れて見栄えを損ねることなく、さらに電子機器１の側面からケーブルが飛び出さないのでケーブルを引っ掛けてしまう心配もない。
【００３３】
内部筐体１４３の底部であり電子機器１の底部でもある内部筐体１４３の底板部１４６には、樹脂材料あるいは金属材料からなる台座８が設けられている。台座８は、箱形形状の主台座１４と、主台座１４の底面に取り付けられた補助台座５とからなる。主台座１４の底面の面積は内部筐体１４３の底板部１４６の面積より小さいが、補助台座５の底面の面積が内部筐体１４３の底板部１４６の面積より大きいため、台座８全体として電子機器１を安定して設置面上に支持することができる。また、補助台座５の底面には複数の膨出部５ａが設けられており、滑り止めが図られている。
【００３４】
筐体、主台座１４及び補助台座５は一体とされ、筐体を設置面上から持ち上げても、筐体、主台座１４及び補助台座５は互いに分離されない。
【００３５】
主台座１４はその内部に空洞部を有し、その空洞部と内部筐体１４３の内部空間とは内部筐体１４３の底板部１４６によって仕切られている。
【００３６】
図７、８に示すように、内部筐体１４３の内部空間にはチューナーボード２４３が配設されている。チューナーボード２４３には、例えば室内のアンテナ端子から入力されるＶＨＦ（Very High Frequency）帯、ＵＨＦ（Ultra High Frequency）帯のテレビジョン信号などの放送信号を受信可能なチューナーが実装されている。
【００３７】
また、内部筐体１４３の内部空間には、マザーボード２４２が配設されている。マザーボード２４２には、ＣＰＵやその他半導体部品、各種スロットやコネクタが実装され、電子機器１の機能上の本体を構成する。
【００３８】
チューナーボード２４３は、内部筐体１４３の内部空間内で縦置き（実装面が底板部１４６にほぼ垂直）にされて配設されており、そのチューナーボード２４３の縁部付近に実装された入力端子２４６（図８参照）は、底板部１４６に形成された貫通孔１５６、１５７、１５８から底板部１４６の外面側に突出されている。チューナーの入力端子２４６は例えば６個あり、各々２個ずつが各貫通孔１５６、１５７、１５８から突出される。
【００３９】
底板部１４６の外面には分配器２４４が装着されている。分配器２４４は略直方体形状を呈し、その一方の長尺側側面には入力端子２５１と、アンテナケーブルからの信号をビデオなどの外部機器に供給するための端子２５２が設けられ、他方の長尺側側面には複数（本実施形態では例えば８個）の出力端子２４９が設けられている。
【００４０】
入力端子２５１には、一端がアンテナ端子に接続されたアンテナケーブル２４５の他端が接続され、そのアンテナケーブル２４５は、本実施形態では例えば８分配される。分配器２４４の出力端子２４９にはケーブル２４７、２４８が接続される。ケーブル２４７は、チューナーの６個の各入力端子２４６と分配器２４４の６個の出力端子２４９とを接続する。ケーブル２４８は、分配器２４４の２個の出力端子２４９と、マザーボード２４２に実装されたチューナーの入力端子とを接続する。
【００４１】
したがって、本実施形態に係る電子機器１では、チューナーボード２４３に実装されたチューナー及びマザーボード２４２に実装されたチューナーの全てを使うと、全部で８番組分の録画を同時に行える。録画は、内部筐体１４３内に配設されたハードディスク装置にされる。
【００４２】
底板部１４６には、分配器１４４、ケーブル２４７、２４８、チューナーの入力端子２４６を覆うようにして主台座１４が固定される。すなわち、主台座１４の内部に形成された空洞部に、分配器１４４及びその出力端子２４９、ケーブル２４７、２４８、チューナーの入力端子２４６が配設される。
【００４３】
分配器２４４の入力端子２５１及び端子２５２は、主台座１４の側面から露出され、さらに図４に示すように、外部筐体３の背板部３ａに形成された貫通孔２４１ａ、２４１ｂからそれぞれ露出される。
【００４４】
以上のように、本実施形態では、分配器２４４とチューナーとを接続するケーブル２４７は、内部筐体１４３の底板部１４６によって内部筐体１４３の内部空間と仕切られた主台座１４の空洞部に配置される。底板部１４６は金属材料からなるので、底板部１４６が電磁遮蔽板として機能し、内部筐体１４３の内部空間に配設されたマザーボード２４２などの各種内蔵部品や内蔵機器からのノイズが、ケーブル２４７を伝送される信号に影響しにくくできる。これにより、ノイズの影響を受けやすいアンテナからの信号の良好な信号品質を確保できる。
【００４５】
なお、マザーボード２４２に実装されたチューナーに接続されるケーブル２４８は、底板部１４６の外側及び側板部１４８の外側を通って、側板部１４８に形成された開口から内部筐体１４３の内部空間に入ってマザーボード２４２に実装されたチューナーに接続される。この場合にも、ケーブル２４８の大部分は、金属材料からなる底板部１４６及び側板部１４８によって内部筐体１４３の内部空間と仕切られた底板部１４６及び側板部１４８の外側に配置されるので、内部筐体１４３の内部空間に配設された各種内蔵部品や内蔵機器からのノイズが、ケーブル２４８を伝送される信号に影響しにくくでき、良好な信号品質を確保できる。
【００４６】
また、内部筐体１４３の内部空間に配設されたチューナーボード２４３は、縦置きにされている。このことによって、チューナーボード２４３の縁部近傍に実装されるチューナー入力端子２４６を内部筐体１４３の内部空間の外側である底板部１４６の外面側に突出させることができ、ケーブル２４７を内部筐体１４３の内部空間に入れることなく入力端子２４６に接続できる。ケーブル２４７が内部筐体１４３の内部空間に入らないので、その分内部筐体１４３の内部空間に配設された各種内蔵部品や内蔵機器からのノイズの影響を抑制できる。さらに、入力端子２４６を内部筐体１４３の内部空間に配置した場合に比べ、ケーブル２４７の引き回し長さを短くでき、このこともケーブル２４７がノイズの影響を受けにくくすることに寄与する。
【００４７】
また、チューナーボード２４３が縦置きされることで、温度の高い空気が上昇するという自然対流によって、実装面上を流れる空気の流れを形成でき、実装面上の部品の放熱を促進できる。
【００４８】
また、筐体底板部１４６の外側のスペースや、上記主台座１４の空洞部のような台座の内部空間は、従来は利用されておらず、そのようないわゆるデッドスペースに分配器２４４、ケーブル２４７、２４８、チューナー入力端子２４６を配置して有効活用することで、内部筐体１４３の内部空間に配設される部品やケーブルを減らすことができる。その分、内部筐体１４３の内部空間への各種部品や機器の高密度配置が可能になる。あるいは、それら部品や機器の配置レイアウトの自由度を高めることができる。
【００４９】
さらに主台座１４の空洞部は、内部筐体１４３の内部空間へと外気を取り入れるための空気の通り道としても利用されている。すなわち、主台座１４の４つの側面にはスリット状の吸気用開口１５が形成され、その吸気用開口１５は主台座１４の空洞部及び底板部１４６に形成された開口１５５、１５６、１５７、１５８、１５９、１６０、１６１を介して、内部筐体１４３の内部空間と連通している。
【００５０】
内部筐体１４３の内部空間には、後述するようにファンが配設され、そのファンによって、外気は上記吸気用開口１５、主台座１４の空洞部、開口１５５、１５６、１５７、１５８、１５９、１６０、１６１を介して、内部筐体１４３の内部空間に吸い込まれ、その内部空間に配設された部品や機器を空冷する。このような構成とすることで、底板部１４６に吸気用開口を形成してもそれが設置面によって塞がれることなく電子機器１の底部からも吸気を行え空冷効率を高めることができる。このことによっても、台座の内部空間を有効に利用している。
【００５１】
電子機器１は、その正面、背面、上面、底面、２つの側面の全てに吸排気用の開口が形成されている。図９、１０に示すように、正面には吸気用開口が、上面には吸気用開口が、底面には吸気用開口が、左側面には吸気用開口と排気用開口が、右側面には吸気用開口が、背面には排気用開口が、それぞれ形成されている。電子機器１の６面全てを用いて筐体内部の換気を行うことで、換気効率を高めて、内蔵機器や部品の空冷効果を高めることができる。
【００５２】
そして、内部筐体１４３の内部空間には例えば７個のファンｆ１〜ｆ７が配設されている。図９、１０において示される矢印は各ファンｆ１〜ｆ７の吸い込み方向あるいは吐き出し方向を示す。
【００５３】
正面について具体的に説明すると、外部筐体２の前板部２ａにおいて外装部材４の前板部４ａによって隠れている下半分ほどの部分には、図５にその一部が示されるように多数の小孔状の吸気用開口５６が形成されている。外装部材４の前板部４ａは外部筐体２の前板部２ａとの間に間隙を形成して向き合わされており、外気はその間隙の上端部及び下端部から間隙に入り込んで吸気用開口５６に吸い込まれる。
【００５４】
内部筐体１４３において外部筐体２の前板部２ａに向き合われる部分には壁がなく、吸気用開口５６に吸い込まれた空気は、そのまま内部筐体１４３の内部空間に入り、内蔵部品や機器を空冷する。
【００５５】
このように正面では、外装部材４に覆われて吸気用開口５６が露出されていないので、内部筐体１４３の内部空間に配設されたファンｆ１〜ｆ７の騒音が吸気用開口５６から直接使用者に対して放音されることを防いでいる。すなわち、外装部材４は遮音板として機能している。また、外装部材４はその表面が例えば鏡面仕上げされて美観を有する体裁板としても機能している。
【００５６】
上面については、外部筐体３の上板部３ｂに多数の小孔状の吸気用開口が形成され、その吸気用開口から吸い込まれた空気は内部筐体１４３の上板部１４４に形成された吸気用開口１６７を通って内部筐体１４３の内部空間に入り、内蔵部品や機器を空冷する。
【００５７】
図１において向かって見て右側面については、外部筐体３の側板部３ｄに多数の小孔状の吸気用開口が形成されており、その吸気用開口から吸い込まれた空気は内部筐体１４３の側板部１４７に形成された吸気用開口１６６を通って内部筐体１４３の内部空間に入り、内蔵部品や機器を空冷する。
【００５８】
左側面については、外部筐体３の側板部３ｃ（図４参照）に多数の小孔状の吸気用開口が形成されており、その吸気用開口から吸い込まれた空気は内部筐体１４３の側板部１４５に形成された吸気用開口１５１を通って内部筐体１４３の内部空間に入り、内蔵部品や機器を空冷する。また、扉２５の背面寄りの部分３４に多数の小孔状の排気用開口が形成されており、この排気用開口及び内部筐体１４３の側板部１４８に形成された排気用開口１５３、１５４を介して、上述の吸気用開口から内部筐体１４３の内部空間に吸い込まれて各種部品や機器の空冷に用いられた空気が、電子機器１の外部に排気される。
【００５９】
底面については、上述したように、外気は主台座１４の側面に形成された吸気用開口１５、主台座１４の空洞部、内部筐体１４３の底板部１４６に形成された開口１５５、１５６、１５７、１５８、１５９、１６０、１６１を介して、内部筐体１４３の内部空間に吸い込まれ、その内部空間に配設された部品や機器を空冷する。
【００６０】
背面については、内部筐体１４３の背板部１７２に形成された開口１５２、１６５、１６４、１６３及び外部筐体３の背板部３ａに形成された開口３９、４０、３８を介して、上述の吸気用開口から内部筐体１４３の内部空間に吸い込まれて各種部品や機器の空冷に用いられた空気が、電子機器１の外部に排気される。
【００６１】
内蔵部品や機器が発する熱を空冷によって放熱させるためには、筐体内部の空気が十分に換気されることが重要である。しかしながら、単位時間あたりの換気量を大きく確保しようとすれば吸気速度が大きくなり塵埃が筐体内部に持ち込まれやすいという問題も発生する。
【００６２】
そこで本実施形態では、上述したように正面、上面、底面、左右の側面の５面に吸気用開口を形成し、背面に形成された排気用開口面積に対して十分に大きな吸気用開口面積を確保している。その結果、吸気速度をそれほど大きくすることなく内蔵機器の空冷に十分な換気を行え、塵埃の筐体内部への吸い込みを抑制できる。
【００６３】
以上、本発明の実施形態について説明したが、勿論、本発明はこれに限定されることなく、本発明の技術的思想に基づいて種々の変形が可能である。
【００６４】
上記実施形態では、電子機器をタワー型コンピュータの本体として説明したが、例えばハードディスクレコーダ、ＤＶＤ（Digital Versatile disc）装置などであってもよい。
【００６５】
また、主台座１４の平面形状は略四角形状としたが、楕円形状であってもよい。さらに、その主台座１４の側面に形成した吸気用開口はスリット状としたが、丸孔状であってもよい。
【００６６】
また、チューナーの入力端子が１つの場合には分配器は不要である。
【００６７】
また、チューナーが受信できるテレビジョン放送信号はアナログ放送に限らず、デジタル放送であってもよい。さらに、ラジオの放送信号を受信できるようにしてもよい。
【００６８】
主台座１４の空洞部に収容されるものは、チューナーへの入力信号が伝送されるケーブルや分配器に限らず、その他筐体内部の内蔵機器からのノイズに弱い部品や機器を収容してもよい。
【図面の簡単な説明】
【００６９】
【図１】本発明の実施形態に係る電子機器の斜視図である。
【図２】同電子機器の正面図である。
【図３】同電子機器の上面図である。
【図４】上記電子機器を図１とは反対側から見た斜視図である。
【図５】補助台座が取り外された状態の上記電子機器の底部側から見た斜視図である。
【図６】上記電子機器の内部筐体の斜視図である。
【図７】上記内部筐体に各種機器が取り付けられた状態の斜視図である。
【図８】図７における要部拡大斜視図である。
【図９】電子機器内部のファンの配置、及び正面、左右の側面、上面、底面それぞれの吸排気口形成領域を示す図である。
【図１０】背面の排気口形成領域を示す図である。
【符号の説明】
【００７０】
１…電子機器、２…外部筐体、３…外部筐体、４…外装部材、５…補助台座、８…台座、１４…主台座、１５…吸気用開口、１４３…内部筐体、１５５〜１６１…開口、２４３…チューナーボード、２４４…分配器、２４６…チューナー入力端子、２４７，２４８…ケーブル、２４９…分配器の出力端子、２５１…分配器の入力端子。
【図１】
2005309738.tif 000003
【図２】
2005309738.tif 000004
【図３】
2005309738.tif 000005
【図４】
2005309738.tif 000006
【図５】
2005309738.tif 000007
【図６】
2005309738.tif 000008
【図７】
2005309738.tif 000009
【図８】
2005309738.tif 000010
【図９】
2005309738.tif 000011
【図１０】
2005309738.tif 000012